(57)【要約】【課題】  コストの増大を抑制しつつ、ロック解除時におけるセキュリティ性を向上させることを目的とする。【解決手段】  ケーシング１の前面に設けられたタッチパネル２と、ケーシング１の背面近傍の物体を検出し、検出信号Ｄを出力する近接センサ５と、検出信号Ｄに基づいて、アンテナ出力を制御するＲＦ部６と、予め指定されたロック解除パターンを登録パターンとして記憶する記憶部８と、端末ロック時における検出信号Ｄを登録パターンと比較し、ロック解除操作の検出判定を行う検出判定手段と、当該検出判定結果に基づいて、ロック解除を行うロック解除手段とを備える。【選択図】  図５
2015159505.tif 000002
【特許請求の範囲】
【請求項１】
薄型筐体の前面に設けられたタッチパネルと、
上記薄型筐体の背面近傍の物体を検出し、検出信号を出力する近接センサと、
上記検出信号に基づいて、アンテナ出力を制御する出力制御手段と、
予め指定されたロック解除パターンを登録パターンとして記憶する記憶手段と、
端末ロック時における上記検出信号を上記登録パターンと比較し、ロック解除操作の検出判定を行う検出判定手段と、
上記検出判定結果に基づいて、ロック解除を行うロック解除手段とを備えたことを特徴とする携帯通信端末。
【請求項２】
上記ロック解除手段は、
上記検出判定結果に基づいて、上記タッチパネルにロック解除画面を表示し、ロック解除コードを入力可能にするロック解除画面表示手段と、
入力された上記ロック解除コードに対する認証処理を行う認証処理手段とを備えたことを特徴とする請求項１に記載の携帯通信端末。
【請求項３】
上記検出判定手段は、ロック解除画面の表示中に上記検出センサから出力される上記検出信号を上記登録パターンと比較し、
上記ロック解除手段は、
スリープ解除キーの操作に基づいて、上記タッチパネルに上記ロック解除画面を表示し、ロック解除コードを入力可能にするロック解除画面表示手段と、
入力された上記ロック解除コードに対する認証処理を行う認証処理手段と、
上記検出判定結果及び上記認証結果に基づいて、ロック解除の可否を判定するロック解除判定手段とを備え、
上記ロック解除コードが入力可能な状態において、上記ロック解除操作が行われ、かつ、その後に上記認証処理に成功すれば、ロック解除を行うことを特徴とする請求項１に記載の携帯通信端末。
【請求項４】
上記ロック解除パターンには、上記ロック解除操作の継続時間が含まれ、
上記検出判定手段は、上記検出信号の継続時間を上記ロック解除操作の継続時間と比較することにより、ロック解除操作の検出判定を行うことを特徴とする請求項１〜３に記載の携帯通信端末。
【請求項５】
上記近接センサとして、第１及び第２のセンサを備え、
第１および第２のセンサの上記検出信号の時系列パターンを上記ロック解除パターンと比較し、ロック解除操作の検出判定を行う検出判定手段とを備えたことを特徴とする請求項１〜４のいずれかに記載の携帯通信端末。
【発明の詳細な説明】
【技術分野】
【０００１】
本発明は、携帯通信端末に係り、さらに詳しくは、近接センサを用いて送信電力を制御する携帯通信端末の改良に関する。
【背景技術】
【０００２】
一般に、携帯電話機などの携帯通信端末は、所定のロック解除操作を行うことによりロック状態を解除することができる。例えば、タッチパネルが消灯しているスリープ状態の携帯通信端末において、電源キーなどのスリープ解除キーを操作すれば、当該タッチパネルにロック解除画面が表示され、ロック解除コードが入力可能になる。この状態で、ロック解除コードを入力して認証に成功すれば、ロック解除が行われる。
【０００３】
ロック解除コードは、例えば４桁の数字からなり、タッチパネルやキーボードを用いて入力される。このため、ロック解除コードを入力している時のタッチパネル等が第三者に見られていた場合、ロック解除コードを第三者に知られてしまう危険性があった。
【０００４】
このようなロック解除時におけるセキュリティ性を向上させる携帯端末が従来から提案されている（例えば、特許文献１）。特許文献１に記載された携帯端末は、筐体の前面及び背面にタッチパネルが配置され、ロック解除操作は、これらの２つのタッチパネルを用いて行われる。このため、第三者はロック解除操作を認識することが難しく、セキュリティ性を向上させることができる。しかしながら、２つのタッチパネルを配置する必要があることから、携帯端末の製造コストを増大させるという問題があった。
【先行技術文献】
【特許文献】
【０００５】
【特許文献１】特開２０１３−２１９７４７号
【発明の概要】
【発明が解決しようとする課題】
【０００６】
本発明は、上記の事情に鑑みてなされたものであり、コストの増大を抑制しつつ、ロック解除時におけるセキュリティ性を向上させることを目的とする。
【課題を解決するための手段】
【０００７】
本発明による携帯通信端末は、薄型筐体の前面に設けられたタッチパネルと、上記薄型筐体の背面近傍の物体を検出し、検出信号を出力する近接センサと、上記検出信号に基づいて、アンテナ出力を制御する出力制御手段と、ロック解除パターンを記憶するパターン記憶手段と、端末ロック時における上記検出信号を上記ロック解除パターンと比較し、ロック解除操作の検出判定を行う検出判定手段と、上記検出判定結果に基づいて、ロック解除を行うロック解除手段とを備えて構成される。
【０００８】
薄型筐体の前面にタッチパネルを設けるとともに、薄型筐体の背面にアンテナ出力を制御するための近接センサを設け、当該近接センサの検出結果に基づいてロック解除を行うことにより、第三者にロック解除方法を見られにくく、ロック解除時におけるセキュリティ性を向上させることができる。しかも、安全性確保のためのセンサを用いて実現することができる。このため、コストの増大を抑制しつつ、セキュリティ性を向上させることができる。
【図面の簡単な説明】
【０００９】
【図１】本発明の実施の形態１による携帯通信端末１００の外観の一例を示した図である。
【図２】本発明の実施の形態１による携帯通信端末１００のハードウエア構成の一例を示した図である。
【図３】携帯通信端末１００の動作状態の一例を示した状態遷移図である。
【図４】制御部１０によるロック解除処理の一例を示したフローチャートである。
【図５】近接センサ５を用いたロック解除操作の様子を示した図である。
【図６】第１及び第２のロック解除パターンＬＰ１，ＬＰ２を示した図である。
【図７】第３及び第４のロック解除パターンＬＰ３，ＬＰ４を示した図である。
【図８】第５〜第８のロック解除パターンＬＰ５〜ＬＰ８を示した図である。
【図９】本発明の実施の形態２による携帯通信端末１００の動作状態の一例を示した状態遷移図である。
【図１０】本発明の実施の形態２によるロック解除処理の一例を示したフローチャートである。
【図１１】本発明の実施の形態３による携帯通信端末１００の動作状態の一例を示した状態遷移図である。
【図１２】本発明の実施の形態３によるロック解除処理の一例を示したフローチャートである。
【図１３】本発明の実施の形態４による携帯通信端末１０１の一構成例を示した図である。
【発明を実施するための形態】
【００１０】
実施の形態１．
＜携帯通信端末１００の構成＞
図１及び図２は、本発明の実施の形態１による携帯通信端末１００の一構成例を示した図である。図１の（ａ）〜（ｃ）には、携帯通信端末１００の前面、右側面及び背面がそれぞれ示されている。また、図２には、携帯通信端末１００内のハードウエア構成の一例が示されている。
【００１１】
本実施の形態では、一例として、携帯通信端末１００が携帯電話機である場合について説明するが、本発明は、携帯電話機に限定されず、様々な携帯通信端末に適用することができる。例えば、無線通信機能を有するタブレット端末にも適用することができる。
【００１２】
携帯通信端末１００は、薄型形状のケーシング１を備えている。ケーシング１は、略矩形の板状体からなる薄型筐体であり、互いに対向する前面及び背面と、上下左右の各端面とを有している。ケーシング１の前面には、タッチパネル２、操作キー３ａ及び通話用レシーバ４が設けられ、背面には、近接センサ５が設けられている。また、右側の端面（右側面）にも操作キー３ｂが設けられている。
【００１３】
タッチパネル２は、表示パネル２０及びタッチセンサ２１により構成される。表示パネル２０は、画像を表示する薄型の表示装置であり、例えば、液晶表示パネル２０ａ及びバックライト２０ｂにより構成される。タッチセンサ２１は、表示パネル２０上の操作位置を検出するセンサであり、例えば、多数の検出素子を２次元配置した静電容量式センサが用いられる。
【００１４】
操作キー３ａ，３ｂは、ユーザが操作入力を行うための操作キーである。携帯通信端末１００は、少なくとも１つの操作キーが、ケーシング１の前面又は端面に設けられている。操作キー３ａ，３ｂは、押下操作やスライド操作を検出する接点式スイッチを用いた入力手段であり、タッチパネル２を用いた入力手段がソフトウエアキーと呼ばれるのに対し、操作キー３ａ，３ｂは、ハードウエアキーと呼ばれる。
【００１５】
近接センサ５は、所定の検出範囲内に存在する物体を非接触で検出する非接触式センサであり、その検出結果は、アンテナ出力制御とロック解除処理に用いられる。近接センサ５は、検出範囲内における物体の有無を検出し、検出信号を出力するものであってもよいが、検出した物体までの距離を計測し、当該距離を示す検出信号を出力するものであってもよい。本実施の形態では、近接センサ５として、静電容量式センサを使用し、検出範囲内に物体を検出した場合に、当該物体までの距離を示す検出信号Ｄを出力する場合について説明する。
【００１６】
なお、近接センサ５は、人体のみを識別するセンサでなくてもよく、人体を含む物体の有無が検出できるセンサであればよい。また、人体の有無や人体までの距離を検出することができればよく、タッチパネル２のように、ケーシング１上の操作位置を検出する必要はない。従って、タッチパネルよりも少ない検出素子、例えば、１つの検出素子で構成することができ、背面にもタッチパネルを設ける場合と比較すれば、携帯通信端末１００の製造コストを抑制することができる。
【００１７】
ＲＦ部６は、アンテナ７を介して行われる無線通信を制御している。例えば、基地局とのセルラー通信、ＬＡＮアクセスポイントとのＷｉＦｉ通信、他の端末とのＢｌｕｅｔｏｏｔｈ（登録商標）通信などを制御している。また、ＲＦ部６は、アンテナ出力、つまり、アンテナ７からの送信電力を制御している。
【００１８】
記憶部８は、制御部１０が使用するプログラムやデータを保持している。例えば、アンテナ出力制御に用いられる出力切替閾値ＴＨや、ロック解除処理のためのロック解除パターンＬＰが、記憶部８に保持されている。
【００１９】
制御部１０は、携帯通信端末１００内の各ブロック１〜６の動作を制御する主制御手段であり、例えば、マイクロプロセッサが用いられる。制御部１０は、近接センサ５の検出信号Ｄに基づいて、アンテナ出力制御や、ロック解除処理を含む動作状態の制御を行っている。
【００２０】
＜アンテナ出力の制御＞
アンテナ出力は、近接センサ５の検出結果に基づいて制御される。主制御部１０は、安全性確保の観点から、人体の電力比吸収率（ＳＡＲ：Specific Absorption Rate）が予め定められた許容値を超えないように、近接センサ５の検出信号Ｄに基づいて、アンテナ７の送信電力を指定する。ＲＦ部６は、指定された送信電力に基づいて、アンテナ出力を制御する。
【００２１】
例えば、人体が検出されない場合には、大きな送信電力を指定する一方、人体が検出された場合には、小さな送信電力を指定することにより、人体の有無に応じて送信電力を切り替え、電力比吸収率が許容値を超えないように制御することができる。また、検出物までの距離を示す検出信号Ｄを１又は２以上の出力切替閾値ＴＨと比較し、その比較結果に基づいて異なる送信電力を指定することにより、人体までの距離に応じて、送信電力を低減させることもできる。
【００２２】
ケーシング１の前面側における人体の有無は、タッチパネル２を用いて検出することができる。特に、携帯電話機の場合、通話用レシーバ４が配置されたケーシング１の前面に人体の頭部を近づけて通話することから、頭部における電力比吸収率が許容値を超えないようにアンテナ出力を制御することが重要となる。このようなアンテナ出力の制御は、周知の方法、例えば、通話中であるか否か判別し、あるいは、タッチパネル２の検出結果を利用することにより実現できる。
【００２３】
これに対し、ケーシング１の前面を上に向け、携帯通信端末１００を掌や膝の上に置いて使用している場合、タッチパネル２を用いて、ケーシング１の近傍にある手や足を検出することはできない。そこで、本実施の形態による携帯通信端末１００では、ケーシング１の背面に近接センサ５を配置し、背面近傍の人体を検出している。なお、近接センサ５は、ケーシング１の背面のうち、アンテナ７の近傍に配置されることが特に望ましい。
【００２４】
＜動作状態の制御＞
図３は、携帯通信端末１００の動作状態の一例を示した状態遷移図である。端末の動作状態は、通常状態Ｓ１及びスリープ状態Ｓ２を遷移する。通常状態Ｓ１は、ユーザが任意の操作入力を行うことができる非ロック状態である。通常状態Ｓ１では、例えば、ユーザが任意のアプリケーションプログラムを選択して起動することができる。これに対し、スリープ状態Ｓ２は、予め定められた操作入力しか行うことができないロック状態である。
【００２５】
通常状態Ｓ１において、ユーザが操作入力を行わない無操作状態が一定時間を超えて継続すれば、消費電力を抑制するために、携帯通信端末１００の動作状態は、スリープ状態Ｓ２へ移行する。また、ユーザが所定のロック操作を行った場合にも、通常状態Ｓ１からスリープ状態Ｓ２に移行する。
【００２６】
スリープ状態Ｓ２は、タッチパネル２を休止させた動作状態であり、バックライト２０ｂが消灯し、タッチセンサ２１も操作入力を検出しない。ただし、近接センサ５は検出動作を行っており、ユーザは、近接センサ５を用いてロック解除操作を行うことができる。ロック解除操作は、近接センサ５に対し、指などの人体を近づけて行われる入力操作であり、近接センサ５から指までの距離Ｌを時間の経過とともに変化させる一連の操作からなる。この操作パターンが、予め定められたロック解除パターンＬＰと一致すれば、携帯通信端末１００の動作状態が、通常状態Ｓ１へ遷移する。
【００２７】
近接センサ５は、ケーシング１の裏面に配置されている。このため、タッチパネル２を上に向けた状態で携帯通信端末１００を保持している場合、近接センサ５に対するロック解除操作は第三者から見えにくく、セキュリティ性を向上させることができる。また、近接センサ５に対するロック解除操作を見て、ロック解除パターンを読み取ることは、タッチパネル２へのコード入力操作を見て、ロック解除コードを読み取るのに比べて難しく、セキュリティ性を向上させることができる。
【００２８】
＜ロック解除処理＞
図４のステップＳ１０１〜Ｓ１０４は、制御部１０によるロック解除処理の一例を示したフローチャートである。このロック解除処理は、携帯通信端末１００がスリープ状態Ｓ２である場合に、制御部１０によって、定期的に又は所定のタイミングで実行される。
【００２９】
まず、近接センサ５が検出信号Ｄを出力していない場合には、ステップＳ１０２〜Ｓ１０４を実行することなく、当該ロック解除処理を終了する（ステップＳ１０１）。
【００３０】
近接センサ５が検出信号Ｄを出力している場合、操作パターンを登録パターンと比較する（ステップＳ１０２）。操作パターンは、近接センサ５が出力する検出信号Ｄの時系列パターンであり、登録パターンは、ユーザが予め指定したロック解除パターンであり、図２の記憶部８に保持されている。操作パターンを登録パターンと比較することにより、近接センサ５に対するユーザ操作が、ロック解除操作であるか否かが判別される。つまり、両者が一致していれば、ユーザ操作はロック解除操作であると判定され、一致していなければ、ロック解除操作ではないと判定される。両者が一致しなかった場合、当該ロック解除処理を終了する（ステップＳ１０３）。
【００３１】
ステップＳ１０３において、操作パターンと登録パターンとが一致していた場合、動作状態を通常状態Ｓ１へ移行し、当該ロック解除処理を終了する（ステップＳ１０４）。つまり、近接センサ５に対するユーザのロック解除操作によって、端末ロックが解除される。
【００３２】
＜ロック解除操作＞
図５は、近接センサ５を用いたロック解除操作の様子を示した図であり、背面側からケーシング１を把持し、人差し指でロック解除操作を行う様子を右側面側から見た様子が示されている。図中の（ａ）には、近接センサ５から距離Ｌの位置に人差し指を配置した状態が示されている。また、図中の（ｂ）には、近接センサ５に人差し指を接触させている状態、つまり、近接センサ５までの距離Ｌ＝０の状態が示されている。
【００３３】
ロック解除操作は、近接センサ５から人差し指までの距離Ｌを時間の経過とともに変化させる一連の操作である。このとき、近接センサ５から出力される一連の検出信号Ｄのパターンが操作パターンとして検出され、当該操作パターンが、予め指定されたロック解除パターンと一致すれば、ロックが解除される。
【００３４】
＜ロック解除パターン＞
図６〜図８は、ロック解除パターンＬＰの一例として、第１〜第８のロック解除パターンＬＰ１〜ＬＰ８を示した図である。これらの図では、時間経過を横軸、近接センサ５の検出信号Ｄの値を縦軸にとり、検出信号Ｄの時間変化として、ロック解除パターンＬＰ１〜ＬＰ８が示されている。検出信号Ｄは、指が近接センサ５に接触しているときに最大値ｄｍとなり、指から近接センサ５までの距離Ｌが長くなるのに従って小さくなり、指が検出範囲外にあればゼロになる。
【００３５】
図６の（ａ）は、第１のロック解除パターンＬＰ１を示した図である。第１のロック解除パターンＬＰ１は、所定の継続時間ｔ１の間、人体を近接センサ５に接触させる操作パターンである。例えば、近接センサ５に指を近づけて接触させた後、当該接触状態を継続時間ｔ１だけ維持した後、近接センサ５から指を離す操作パターンである。このとき、検出信号Ｄは、ゼロからｄｍに変化し、継続時間ｔ１が経過した後、ｄｍからゼロに変化する。パターンの一致判定は、例えば、検出信号Ｄの継続時間に基づいて行うことができる。
【００３６】
図６の（ｂ）は、第２のロック解除パターンＬＰ２を示した図である。第２のロック解除パターンＬＰ２は、第１のロック解除パターンＬＰ１を所定の回数だけ繰り返す操作パターンである。パターンの一致判定は、例えば、検出信号Ｄの継続時間と繰り返し回数に基づいて行うことができる。
【００３７】
図７の（ａ）は、第３のロック解除パターンＬＰ３を示した図である。第３のロック解除パターンＬＰ３は、所定の継続時間ｔ１の間、人体を近接センサ５から一定の距離Ｌに保持する操作パターンである。例えば、検出範囲外から近接センサ５に指を近づけて、近接センサ５までの距離をＬにした後、その状態を継続時間ｔ１だけ維持した後、検出範囲外に至るまで近接センサ５から指を遠ざける操作パターンである。このとき、距離Ｌに対応する検出信号Ｄの値ｄ１とすれば、検出信号Ｄは、ゼロからｄ１に変化し、継続時間ｔ１が経過した後、ｄ１からゼロに変化する。パターンの一致判定は、例えば、検出信号Ｄの値及び継続時間に基づいて行うことができる。
【００３８】
図７の（ｂ）は、第４のロック解除パターンＬＰ４を示した図である。第４のロック解除パターンＬＰ４は、第３のロック解除パターンＬＰ３を所定の回数だけ繰り返す操作パターンである。パターンの一致判定は、例えば、検出信号Ｄの値、継続時間及び繰り返し回数に基づいて行うことができる。
【００３９】
図８の（ａ）は、第５のロック解除パターンＬＰ５を示した図である。第５のロック解除パターンＬＰ５は、人体を近接センサ５に徐々に近づける操作パターンである。例えば、速度ｖ１で近接センサ５に指を近づける操作パターンである。このとき、速度ｖ１に対応する検出信号Ｄの傾きをａ１とすれば、検出信号Ｄは、傾きａ１で増大する。パターンの一致判定は、例えば、検出信号Ｄの時間あたりの変化量に基づいて行うことができる。
【００４０】
図８の（ｂ）は、第６のロック解除パターンＬＰ６を示した図である。第６のロック解除パターンＬＰ６は、人体を近接センサ５から徐々に遠ざける操作パターンである。例えば、速度ｖ２で近接センサ５から指を遠ざける操作パターンである。このとき、速度ｖ２に対応する検出信号Ｄの傾きをａ２とすれば、検出信号Ｄは、傾きａ２で減少する。パターンの一致判定は、例えば、検出信号Ｄの時間あたりの変化量に基づいて行うことができる。
【００４１】
図８の（ｃ）は、第７のロック解除パターンＬＰ７を示した図である。第７のロック解除パターンＬＰ７は、人体を近接センサ５に徐々に近づけた後、徐々に遠ざける操作パターンであり第５及び第６のロック解除パターンを組み合わせに相当する。例えば、速度ｖ１で近接センサ５に指を近づけた後、速度ｖ２で近接センサ５から指を遠ざける操作パターンである。このとき、検出信号Ｄは、傾きａ１で増大した後、傾きａ２で減少する。パターンの一致判定は、例えば、検出信号Ｄの時間あたりの変化量に基づいて行うことができる。
【００４２】
図８の（ｄ）は、第８のロック解除パターンＬＰ８を示した図である。第８のロック解除パターンＬＰ８は、第７のロック解除パターンＬＰ７を所定の回数だけ繰り返す操作パターンである。パターンの一致判定は、例えば、検出信号Ｄの時間あたりの変化量と、繰り返し回数とに基づいて行うことができる。
【００４３】
本実施の形態による携帯通信端末１００は、ケーシング１００の前面にタッチパネル２が設けられ、ケーシング１の背面のアンテナ近傍に近接センサ５が設けられている。近接センサ５は、裏面近傍の物体を検出して検出信号Ｄを出力し、当該検出信号Ｄに基づいて、ＲＦ部６がアンテナ出力を制御する。このような構成により、ケーシング１の裏面近傍の人体における電力比吸収率を所定の許容値以下に抑止することができ、携帯通信端末１００の安全性を向上させることができる。
【００４４】
また、予め指定されたロック解除パターンＬＰを保持する記憶部８を備え、近接センサ５の出力を当該ロック解除パターンＬＰと比較することにより、近接センサ５に対するロック解除操作を判別し、その判別結果に基づいてロック解除を行っている。このような構成により、ケーシング１の裏面に対する操作により端末ロックを解除することができるので、携帯通信端末１００のセキュリティ性を向上させることができる。
【００４５】
特に、ケーシング１の背面に設けられた近接センサ５が、安全性向上のためのアンテナ出力制御と、セキュリティ性向上のためのロック解除処理とに用いられることにより、携帯通信端末１００の製造コストを抑制しつつ、セキュリティ性を向上させることができる。
【００４６】
なお、本実施の形態では、近接センサ５に対する操作のみで端末ロックを解除することができる携帯通信端末１００の例について説明したが、本発明は、このような場合のみに限定されない。例えば、同時であるか否かを問わず、近接センサ５に対する操作と、他の操作とを組み合わせて、端末ロックを解除する構成であってもよい。
【００４７】
また、ロック解除パターンは、操作時の距離、距離の変化量、操作時間及び繰り返し回数の任意の組み合わせとして規定することができる。
【００４８】
また、本実施の形態では、近接センサ５に指を近づけることにより、ロック解除操作を行う場合の例について説明したが、本発明は、このような場合のみに限定されない。例えば、指以外の人体を近接センサ５に近づけて、ロック解除操作を行うこともできる。さらに、金属や木からなる操作子を近接センサ５に近づけてロック解除操作を行うこともできる。当該操作子は、例えば、ストラップとして、携帯通信端末１００に取り付けられるものであってもよい。
【００４９】
また、本実施の形態では、ケーシング１の背面に近接センサ５を設ける場合の例について説明したが、ケーシング１の端面に近接センサ５を設けることもできる。近接センサ５は、電力比誘電率が許容値を超えないように人体を検出するとともに、ロック解除操作を検出することができるセンサであればよく、ケーシング１の背面に代えて、端面に設けることもできる。
【００５０】
実施の形態２．
実施の形態１では、近接センサ５に対するロック解除操作のみにより、ロック解除が行われる場合の例について説明した。これに対し、本実施の形態では、近接センサ５に対するロック解除操作と、ロック解除コードの入力とによって、ロック解除が行われる場合について説明する。なお、本実施の形態では、実施の形態１の場合と相違する構成及び動作について説明し、同一の構成及び動作に関する説明は省略する。
【００５１】
＜動作状態の制御＞
図９は、本発明の実施の形態２による携帯通信端末１００の動作状態の一例を示した状態遷移図である。端末の動作状態は、通常状態Ｓ１、スリープ状態Ｓ２及びロック解除画面表示状態Ｓ３を遷移する。図９を図３の状態遷移図（実施の形態１）と比較すれば、ロック解除画面表示状態Ｓ３を有する点で異なる。
【００５２】
通常状態Ｓ１は、ユーザが任意の操作入力を行うことができる非ロック状態である。これに対し、スリープ状態Ｓ２及びロック解除画面表示状態Ｓ３は、いずれも予め定められた操作入力しか行うことができないロック状態である。
【００５３】
ロック解除画面表示状態Ｓ３は、ロック解除コードＬＣによる認証処理を行う動作状態である。ロック解除画面表示状態Ｓ３では、バックライト２０ｂが点灯し、タッチパネル２にロック解除画面が表示され、ロック解除コードＬＣが入力可能になる。一般に、ロック解除コードには４桁の数字が用いられることが多いが、桁数や文字種を含めたコード体系は任意である。また、ロック解除コードＬＣの入力には、例えば、タッチパネル２のソフトウエアキーが用いられる。
【００５４】
ロック解除コードＬＣによる認証処理は、ユーザが入力した入力コードを予め指定されたロック解除コードと比較することによって行われる。当該認証処理に成功した場合には、携帯通信端末１００の動作状態が、通常状態Ｓ１へ遷移し、端末ロックが解除される。一方、認証に成功することなく、無操作状態が一定時間を超えて継続すれば、再びスリープ状態Ｓ２へ移行する。
【００５５】
＜ロック解除処理＞
図１０のステップＳ２０１〜Ｓ２０８は、本発明の実施の形態２によるロック解除処理の一例を示したフローチャートである。このロック解除処理は、携帯通信端末１００がスリープ状態Ｓ２である場合に、制御部１０によって、定期的に又は所定のタイミングで実行される。
【００５６】
まず、近接センサ５が検出信号Ｄを出力していない場合、ステップＳ２０２〜Ｓ２０８を実行することなく、当該ロック解除処理を終了する（ステップＳ２０１）。近接センサ５が検出信号Ｄを出力している場合、操作パターンを登録パターンと比較する（ステップＳ２０２）。その結果、両者が一致しなかった場合、ステップＳ２０４〜Ｓ２０８を実行することなく、当該ロック解除処理を終了する（ステップＳ２０３）。
【００５７】
ステップＳ２０３において、操作パターンと登録パターンとが一致していた場合、タッチパネル２にロック解除画面が表示され（ステップＳ２０４）、ロック解除コードが入力可能になる（ステップＳ２０５）。この状態で、ユーザがコード入力を行えば、ロック解除コードＬＣによる認証処理が行われる（ステップＳ２０６）。当該認証処理は、ユーザが入力した入力コードと、予め登録されている登録コードとを比較することによって行われる。登録コードは、ユーザが予め指定したロック解除コードであり、図２の記憶部８に保持されている。
【００５８】
ステップＳ２０６において、認証に失敗した場合、つまり、入力コードと登録コードが一致しなかった場合には、認証失敗のメッセージを表示して再度のコード入力を促し、ステップＳ２０５に戻る（ステップＳＳ２０７）。一方、認証に成功した場合、つまり、入力コードと登録コードが一致した場合には、携帯通信端末１００の動作状態が、通常状態Ｓ１へ遷移する（ステップＳ２０８）。
【００５９】
本実施の形態によれば、近接センサ５に対するロック解除操作により、タッチパネル２にロック解除画面が表示され、ロック解除コードが入力可能になる。そして、ロック解除画面の表示中にロック解除コードが入力されると、端末ロックが解除される。つまり、近接センサ５に対する操作とタッチパネル２に対するコード入力とによってロック解除処理が行われ、携帯通信端末１００のセキュリティ性を向上させることができる。
【００６０】
実施の形態３．
実施の形態２では、近接センサ５に対するロック解除操作が、ロック解除画面の表示前に行われる場合の例について説明した。これに対し、本実施の形態では、近接センサ５に対するロック解除操作が、ロック解除画面の表示後に行われる場合について説明する。なお、本実施の形態では、実施の形態２の場合と相違する構成及び動作について説明し、同一の構成及び動作に関する説明は省略する。
【００６１】
＜動作状態の制御＞
図１１は、本発明の実施の形態３による携帯通信端末１００の動作状態の一例を示した状態遷移図である。端末の動作状態は、通常状態Ｓ１、スリープ状態Ｓ２、第１のロック解除画面表示状態Ｓ３１及び第２のロック解除画面表示状態Ｓ３２を遷移する。図１１を図９の状態遷移図（実施の形態２）と比較すれば、２つのロック解除画面表示状態Ｓ３１，Ｓ３２を有する点で異なる。
【００６２】
第１及び第２のロック解除画面表示状態Ｓ３１，Ｓ３２は、いずれもタッチパネル２にロック解除画面が表示されているロック状態である。
【００６３】
第１のロック解除画面表示状態Ｓ３１は、スリープ状態Ｓ２において操作キー３ａ，３ｂが操作されたときに、スリープ状態Ｓ２から遷移する動作状態である。このとき、操作キー３ａ，３ｂは、スリープ状態を解除するためのスリープ解除キーとして用いられている。第１のロック解除画面表示状態Ｓ３１では、近接センサ５に対するロック解除操作を行うことができるが、ロック解除コードを入力することはできない。
【００６４】
第２のロック解除画面表示状態Ｓ３２は、第１のロック解除画面表示状態Ｓ３１において、近接センサ５に対するロック解除操作が行われた場合に移行する動作状態である。第２のロック解除画面表示状態Ｓ３２では、ロック解除コードを入力することができる。入力コードに対する認証に成功すれば、端末の動作状態は通常状態Ｓ１へ移行する。
【００６５】
つまり、ロック解除画面が表示された状態において、まず、近接センサ５に対するロック解除操作が行われ、次に、ロック解除コードが入力された場合に端末ロックが解除される。なお、第１及び第２のロック解除画面表示状態Ｓ３１，Ｓ３２のいずれであっても、無操作状態が一定時間を超えて継続すれば、スリープ状態Ｓ２へ移行する。
【００６６】
ここで、第１及び第２のロック解除画面表示状態Ｓ３１，Ｓ３２における画面表示を互いに同一とし、あるいは類似させ、ユーザが２つの状態Ｓ３１，Ｓ３２を容易に区別できないようにすれば、セキュリティ性を向上させることができる。特に、第１のロック解除画面表示状態Ｓ３１において、ロック解除コードを入力することは可能とし、入力コードにかかわらず、認証に失敗するように構成することにより、よりセキュリティ性を向上させることができる。
【００６７】
＜ロック解除処理＞
図１２のステップＳ３０１〜Ｓ３０９は、本発明の実施の形態３によるロック解除処理の一例を示したフローチャートである。このロック解除処理は、携帯通信端末１００がスリープ状態Ｓ２である場合に、制御部１０によって、定期的に又は所定のタイミングで実行される。
【００６８】
まず、操作キー３ａ，３ｂの操作入力がない場合ステップＳ３０２〜Ｓ３０９を実行することなく、当該ロック解除処理を終了する（ステップＳ３０１）。操作キー３ａ，３ｂが操作された場合、タッチパネル２にロック解除画面が表示される（ステップＳ３０２）。ロック解除画面が表示されると、近接センサ５に対するロック解除操作が可能になる（ステップＳ３０３）。そして、近接センサ５から検出信号Ｄが出力された場合、操作パターンを登録パターンと比較する（ステップＳ３０４）。その結果、両者が一致しなかった場合、ステップＳ３０３に戻る（ステップＳ３０５）。
【００６９】
ステップＳ３０５において、操作パターンと登録パターンとが一致していた場合、タッチパネル２に対するロック解除コードの入力が可能になる（ステップＳ３０６）。この状態でユーザがコード入力を行った場合、当該入力コードに対する認証処理が行われる（ステップＳ３０７）。その結果、認証に失敗した場合、つまり、入力コードと登録コードが一致しなかった場合には、認証失敗のメッセージを表示して再度のコード入力を促し、ステップＳ３０６に戻る（ステップＳＳ３０８）。一方、認証に成功した場合、つまり、入力コードと登録コードが一致した場合には、携帯通信端末１００の動作状態が、通常状態Ｓ１へ遷移する（ステップＳ３０９）。
【００７０】
本実施の形態によれば、操作キー３ａ，３ｂの操作により、タッチパネル２にロック解除画面を表示され、近接センサ５に対するロック解除操作が可能になる。そして、ロック解除操作が行われた後に、タッチパネル２に対するロック解除コードの認証処理が可能になる。つまり、ともにロック解除画面の表示中に行われる近接センサ５に対する操作と、タッチパネル２に対するコード入力とに基づいて、ロック解除の可否が決定される。このため、携帯通信端末１００のセキュリティ性を向上させることができる。
【００７１】
特に、ロック解除操作が検出されたことをユーザが認識できないようにすることにより、第三者が不正にロック解除を行おうとした場合に、認証に失敗しても、ロック解除操作が適切でないために認証に失敗したのか、あるいは、ロック解除コードが適切でないために認証に失敗したのかを区別することができず、セキュリティ性を向上させることができる。
【００７２】
実施の形態４．
上記実施の形態では、１個の近接センサ５を備えた携帯通信端末１００の例について説明した。これに対し、本実施の形態では、２個の近接センサ５を備えた携帯通信端末１０１について説明する。
【００７３】
図１３は、本発明の実施の形態４による携帯通信端末１０１の一構成例を示した図である。図中の（ａ）〜（ｃ）には、携帯通信端末１０１の前面、右側面及び背面がそれぞれ示されている。図１３の携帯通信端末１０１を図１の携帯通信端末１００（実施の形態１）と比較すれば、ケーシング１の背面に近接センサ５ａ，５ｂを備えている点で異なる。
【００７４】
近接センサ５ａは、人差し指で操作され、近接センサ５ｂは、中指で操作される。このため、近接センサ５ａは、ケーシング１の背面の左上に配置され、近接センサ５ｂは、近接センサ５ａよりも右側下方に配置されている。
【００７５】
図２の記憶部８は、近接センサ５ａ，５ｂごとのロック解除パターンを保持している。そして、ロック解除操作の検出判定は、近接センサ５ａ，５ｂの検出信号Ｄは、対応するロック解除パターンとそれぞれ比較することによって行われる。例えば、いずれか一方の比較結果が一致した場合に、ロック解除操作が検出されたと判定するように構成することができる。また、両方の比較結果のいずれもが一致した場合に、ロック解除操作が検出されたと判定することもできる。
【００７６】
なお、本実施の形態では、２個の近接センサ５ａ，５ｂを備える携帯通信端末１０１の例について説明したが、本発明は、３個以上の近接センサを備える携帯通信端末にも適用することもできる。
【符号の説明】
【００７７】
１００，１０１  携帯通信端末
１      ケーシング
２      タッチパネル
３ａ，３ｂ    操作キー
４      通話用レシーバ
５，５ａ，５ｂ    近接センサ
６      ＲＦ部
７      アンテナ
８      記憶部
１０    制御部
２０    表示パネル
２０ａ  液晶表示パネル
２０ｂ  バックライト
２１    タッチセンサ
Ｄ      検出信号
Ｌ      距離
ＬＣ    ロック解除コード
ＬＰ，ＬＰ１〜ＬＰ８    ロック解除パターン
Ｓ１    通常状態
Ｓ２    スリープ状態
Ｓ３    ロック解除画面表示状態
Ｓ３１  第１のロック解除画面表示状態
Ｓ３２  第２のロック解除画面表示状態
ＴＨ    出力切替閾値
【図１】
2015159505.tif 000003
【図２】
2015159505.tif 000004
【図３】
2015159505.tif 000005
【図４】
2015159505.tif 000006
【図５】
2015159505.tif 000007
【図６】
2015159505.tif 000008
【図７】
2015159505.tif 000009
【図８】
2015159505.tif 000010
【図９】
2015159505.tif 000011
【図１０】
2015159505.tif 000012
【図１１】
2015159505.tif 000013
【図１２】
2015159505.tif 000014
【図１３】
2015159505.tif 000015